(57)【要約】【課題】脱臭・脱煙効果を高くすることができて、しかも、ケーシングの大型化を抑制できる加熱調理器を提供する。【解決手段】加熱調理器は、ケーシング１と、ケーシング１内に設けられ、被調理物を加熱するための加熱庫８と、加熱庫８内の気体をケーシング１外へ排気するための排気経路１２とを備える。排気経路１２は、脱煙機能および脱臭機能を有する触媒３３と、触媒３３を収容する収容部３４とを有する。収容部３４の上端側には、触媒３３の一部に対向する吸気口３７と、触媒３３の他の一部に対向する排気口３８とが設けられている。収容部３４の他端側は密閉されている。また、排気経路１２は、加熱庫８内の気体を吸気口３７へ案内する案内経路３５と、触媒３３と収容部３４の他端との間に設けられた空間Ｓとを有する。【選択図】図６
2011033230.tif 000002
【特許請求の範囲】
【請求項１】
ケーシングと、
上記ケーシング内に設けられ、被調理物を加熱するための加熱庫と、
上記加熱庫内の気体を上記ケーシング外へ排気するための排気経路と
を備え、
上記排気経路は、
脱煙機能および脱臭機能を有する触媒と、
上記触媒を収容して、一端側に、上記触媒の一部に対向する吸気口と、上記触媒の他の一部に対向する排気口とが設けられていると共に、他端側が密閉されている収容部と、
上記加熱庫内の気体を上記吸気口へ案内する案内経路と
上記触媒と上記収容部の他端との間に設けられた空間と
を有することを特徴とする加熱調理器。
【請求項２】
請求項１に記載の加熱調理器において、
上記収容部の周囲に配置され、上記被調理物を加熱する加熱部を備えることを特徴とする加熱調理器。
【請求項３】
請求項１または２に記載の加熱調理器において、
上記収容部は上記加熱庫の上方に配置されていることを特徴とする加熱調理器。
【請求項４】
請求項１から３までのいずれか一項に記載の加熱調理器において、
上記ケーシング内に設けられ、上記加熱庫に供給される蒸気を発生させる蒸気発生装置を備えることを特徴とする加熱調理器。
【請求項５】
請求項１から４までのいずれか一項に記載の加熱調理器において、
上記排気経路は、上記吸気口と上記排気口との間を仕切る仕切部を有することを特徴とする加熱調理器。
【発明の詳細な説明】
【技術分野】
【０００１】
本発明は加熱調理器に関する。
【背景技術】
【０００２】
従来、加熱調理器としては、特開２００８−２８１２６７号公報（特許文献１）で開示されているように、加熱庫内で被調理物から生じた油煙を触媒により水蒸気と二酸化炭素に分解するものがある。
【０００３】
より詳しくは、上記従来の加熱調理器では、図８に示すように、加熱庫１０１内において、上ヒータ１０２が被調理物１００の上側に配置され、下ヒータ１０３が被調理物１００の下側に配置されている。この上ヒータ１０２および下ヒータ１０３に通電して、被調理物１００を加熱する。このとき、被調理物１００から発生した油煙は、排気経路１０４内に流入し、ケーシング１０５外へ向かって流れる。
【０００４】
上記排気経路１０４内には、触媒１０６と、この触媒１０６を加熱する触媒加熱ヒータ１０７とが配置されている。これにより、上記加熱庫１０１内から排気経路１０４内に流入した油煙は、触媒１０６を通過し、水蒸気と二酸化炭素に分解されるようになっている。
【０００５】
また、上記触媒加熱ヒータ１０７が、被調理物１００の加熱時に通電されて、触媒１０６を加熱して、触媒１０６反応が促進させるようにもなっている。
【０００６】
しかしながら、上記従来の加熱調理器の構成では、加熱庫１０１内で発生する臭いや油煙を触媒１０６で十分に脱臭および脱煙できないという問題がある。
【０００７】
上記触媒１０６の通気方向の長さを長くすれば、ケーシング１０５外へ向かう気体および油煙が触媒１０６に接触する時間も長くなるので、脱臭・脱煙効果の向上が期待できるが、そのような長い触媒１０６を配置するためのスペースを確保しなければならない。
【０００８】
その結果、上記ケーシング１０５が大型化してしまったり、低コスト設計が困難になってしまったりと新たな問題が生じてしまう。
【先行技術文献】
【特許文献】
【０００９】
【特許文献１】特開２００８−２８１２６７号公報
【発明の概要】
【発明が解決しようとする課題】
【００１０】
そこで、本発明の課題は、脱臭・脱煙効果を高くすることができて、しかも、ケーシングの大型化を抑制できる加熱調理器を提供することにある。
【課題を解決するための手段】
【００１１】
上記課題を解決するため、本発明の加熱調理器は、
ケーシングと、
上記ケーシング内に設けられ、被調理物を加熱するための加熱庫と、
上記加熱庫内の気体を上記ケーシング外へ排気するための排気経路と
を備え、
上記排気経路は、
脱煙機能および脱臭機能を有する触媒と、
上記触媒を収容して、一端側に、上記触媒の一部に対向する吸気口と、上記触媒の他の一部に対向する排気口とが設けられていると共に、他端側が密閉されている収容部と、
上記加熱庫内の気体を上記吸気口へ案内する案内経路と
上記触媒と上記収容部の他端との間に設けられた空間と
を有することを特徴としている。
【００１２】
上記構成の加熱調理器によれば、上記加熱庫内の気体は、排気通路内に流入し、ケーシング外へ向かって流れる。このとき、上記気体の加熱庫外への流出に伴い、加熱庫内の例えば油煙も、加熱庫外へ流出し、排気通路をケーシング外に向かって流れる。そして、上記気体および油煙は、案内経路によって吸気口へ案内され、その吸気口から収容部内に流入する。そして、収容部内に流入した気体および油煙は、触媒の一部を通過して、触媒と収容部の他端との間の空間に流入する。そして、上記空間を流れた気体および油煙は、触媒の他の一部を通過した後、排気口から収容部外に流出する。
【００１３】
このように、上記加熱庫から流出した気体および油煙が触媒を２回通過するので、触媒の通気方向の長さが短くても、気体および油煙を十分に脱臭および脱煙することができる。
【００１４】
また、上記触媒の通気方向の長さを短くしても、加熱庫から流出した気体および油煙が触媒を２回通過するので、気体および油煙を十分に脱臭および脱煙することができる。
【００１５】
したがって、上記触媒の通気方向の長さを短くして、収容部を薄型化できるので、ケーシングの大型化を抑制することができる。
【００１６】
また、上記収容部の薄型設計に伴い、ケーシングの小型化や、設置スペースの省スペース化も可能となる。
【００１７】
また、上記ケーシングを小型化することによって、製造コストの低減も可能となる。
【００１８】
一実施形態の加熱調理器は、
上記収容部の周囲に配置され、上記被調理物を加熱する加熱部を備える。
【００１９】
上記実施形態の加熱調理器によれば、上記被調理物を加熱する加熱部を収容部の周囲に配置しているので、その加熱部で触媒が加熱されて、触媒反応が促進する。
【００２０】
したがって、特開２００８−２８１２６７号公報の加熱調理器のように、触媒を加熱するためだけのヒータを配置しなくてもよいので、ヒータ数を減らし、製造コストを低減することができる。
【００２１】
一実施形態の加熱調理器では、
上記収容部は上記加熱庫の上方に配置されている。
【００２２】
上記実施形態の加熱調理器によれば、上記収容部を加熱庫の上方に配置しているので、加熱庫の熱が効率良く収容部に伝わる。
【００２３】
したがって、上記触媒の加熱効率を高め、触媒反応を十分に促進させることができる。
【００２４】
一実施形態の加熱調理器は、
上記ケーシング内に設けられ、上記加熱庫に供給される蒸気を発生させる蒸気発生装置を備える。
【００２５】
上記実施形態の加熱調理器によれば、上記蒸気発生装置が発生させた蒸気を加熱庫に供給するので、排気経路に例えば排気ファンを設けなくても、その蒸気の圧力で加熱庫内の気体および例えば油煙を効率良く加熱庫外に排出することができる。
【００２６】
一実施形態の加熱調理器では、
上記排気経路は、上記吸気口と上記排気口との間を仕切る仕切部を有する。
【００２７】
上記実施形態の加熱調理器によれば、上記仕切部が吸気口と排気口との間を仕切るので、排気口から出た気体が上流側に逆流するのを防ぐことができる。
【発明の効果】
【００２８】
本発明の加熱調理器によれば、触媒を収容する収容部の一端側には、触媒の一部に対向する吸気口と、触媒の他の一部に対向する排気口とが設けられ、収容部の他端側が密閉されているので、加熱庫内からの気体や例えば油煙が、吸気口、触媒の一部、空間、触媒の他の一部、排気口を順次通過する。
【００２９】
したがって、上記加熱庫内の気体や油煙が触媒を２回通過することになり、脱臭・脱煙効果を高くすることができる。
【００３０】
また、上記触媒の通気方向の長さが短くても、加熱庫内の気体や油煙が触媒を２回通過するので、気体や油煙を十分に脱臭および脱煙することができる。
【００３１】
したがって、上記触媒の通気方向の長さを短くして、収容部を薄型化できるので、ケーシングの大型化を抑制できる。
【図面の簡単な説明】
【００３２】
【図１】図１は本発明の一実施形態の加熱調理器の概略正面図である。
【図２】図２は上記加熱調理器を前方の斜め上方から見た概略斜視図である。
【図３】図３は上記加熱調理器を後方の斜め上方から見た概略斜視図である。
【図４】図４は上記加熱調理器を側方から見た概略斜視図である。
【図５】図５は上記加熱調理器を前方の斜め上方から見た概略斜視図である。
【図６】図６は上記加熱調理器を鉛直面で切った模式断面図である。
【図７】図７は上記加熱調理器を水平面で切った模式断面図である。
【図８】図８は従来の加熱調理器の概略断面図である。
【発明を実施するための形態】
【００３３】
以下、本発明の加熱調理器を図示の実施の形態により詳細に説明する。
【００３４】
図１は本発明の一実施形態の加熱調理器の概略正面図である。
【００３５】
上記加熱調理器は、ケーシング１と、このケーシング１の前面側に取り付けられたスライド開閉式の把手付きドア２とを備えている。また、ケーシング１の前面側には、閉鎖時の把手付きドア２に隣り合うように操作パネル３を設けている。そして、操作パネル３の下方には露受容器４を配置している。
【００３６】
上記操作パネル３にはダイヤル５を回転自在に取り付けている。また、操作パネル３は液晶表示部７を有し、この液晶表示部７がダイヤル５の操作に応じた表示を行う。
【００３７】
上記露受容器４は２つの前脚６，６に着脱可能な容器である。この前脚６，６はケーシング１の底部の前側に設けられている。そして、前脚６，６に露受容器４を取り付けると、露受容器４の一部が閉鎖時の把手付きドア２の後面（裏面）の下方に位置する。これにより、把手付きドア２を開放したとき、把手付きドア２の後面の露が露受容器４内に滴下する。
【００３８】
図２は、上記ケーシング１の天部および両側部が取り外された加熱調理器を前方の斜め上方から見た概略斜視図である。また、図３は、図２の加熱調理器を後方の斜め上方から見た概略斜視図である。
【００３９】
上記ケーシング１内には、図２，図３に示すように、被調理物を加熱するための加熱庫８を設置している。また、ケーシング１内において、加熱庫８の側方かつ操作パネル３の後方の空間を電装品室９とし、加熱庫８の後方かつ電装品室９の後方の空間を吸気空間１０としている。
【００４０】
上記加熱庫８は開口部８ａ（図５参照）を前面側に有し、把手付きドア２が加熱庫８の開口部８ａを開閉する。被調理物は、加熱庫８の開口部８ａを通して、加熱庫８内から取り出したり、加熱庫８内に入れたりする。また、加熱庫８の上方、下方、後方および両側方のそれぞれには、遮熱板１１，１１，…を配置している。つまり、遮熱板１１，１１，…は加熱庫８の開口部８ａを除く周囲に配置されている。また、図示しないが、遮熱板１１と加熱庫８との間の空間には断熱材を充填している。そして、加熱庫８内の気体は、排気経路１２でケーシング１の前側に案内されてケーシング１外に出るようにしている。
【００４１】
上記電装品室９内には、加熱庫８へ供給される蒸気を発生させる蒸気発生装置１３と、この蒸気発生装置１３に給水チューブ２０を介して接続された給水ポンプ１４と、この給水ポンプ１４の前方に配置されたタンク収納部１５とがある。そして、被調理物の加熱時には、冷却ファン１６からの空気が電装品室９内を流れ、給水ポンプ１４などの電装品を冷却できるようにしている。
【００４２】
上記吸気空間１０は、冷却ファン１６の駆動時、ケーシング１外の空気が４つの吸気口１７，１７，１７，１７から流れ込む空間である。この吸気空間１０内の空気は冷却ファン１６に吸い込まれて電装品室９内へ吹き出される。なお、各吸気口１７はケーシング１の後部に設けられた複数のスリットで構成されている。
【００４３】
上記排気経路１２は、可撓性を有する合成樹脂製の排気チューブ１８と、タンク収納部１５の側方に配置され、非可撓性を有する合成樹脂製の排気ダクト１９とを有する。
【００４４】
上記排気チューブ１８は電装品室９の後側上部から前側下部へ延びるように設置されている。そして、排気チューブ１８の後端部は加熱庫８の後部に接続されている一方、排気チューブ１８の前端部は排気ダクト１９に接続されている。
【００４５】
上記排気ダクト１９の後端は開口しており、冷却ファン１６からの冷却風が排気ダクト１９内に流入するようになっている。
【００４６】
なお、図２，図３の２１は、電装品室９と吸気空間１０とを仕切る間仕切壁である。この間仕切壁２１には冷却ファン１６を取り付けている。
【００４７】
図４は、図２の加熱調理器を側方から見た概略斜視図である。
【００４８】
上記排気ダクト１９の前側の底部には排気兼排水口２２を設けている。この排気兼排水口２２はケーシング１の底部を貫通し露受容器４に対向する。また、排気ダクト１９内には排気チューブ１８の前端部が入っており、排気チューブ１８の前端部の開口が排気兼排水口２２側に向いている。
【００４９】
上記タンク収納部１５は給水タンク２３を収納している。この給水タンク２３は、図５に示すように、把手付きドア２を開放すると前面が露出し、タンク収納部１５に出し入れ可能となる。また、給水タンク２３内の水は、給水ポンプ１４の駆動により、給水チューブ２０を介して蒸気発生装置１３に供給される。蒸気発生装置１３は、給水ポンプ１４からの水を蒸気発生用ヒータ２４で加熱して、水蒸気を発生させる。
【００５０】
また、上記把手付きドア２を開放すると、被調理物を載せるトレイ４０が加熱庫８内から引き出される。このトレイ４０の前側の端部は把手付きドア２の後面に着脱可能に連結されている。また、把手付きドア２の後面にはレールユニット４１が固定されている。レールユニット４１は、ケーシング１内に固定された固定レールと、この固定レールに対して摺動可能な可動レールとを有する。
【００５１】
図６は上記加熱調理器を鉛直面で切った模式断面図である。また、図７は上記加熱調理器を水平面で切った模式断面図である。
【００５２】
図６，図７に示すように、上記加熱庫８の上側には上ヒータ収納部２５が設けられており、上ヒータ収納部２５内に上ヒータ２６を収容している。蒸気発生装置１３から上ヒータ収納部２５内に流入した蒸気は、上ヒータ２６で過熱されて過熱水蒸気となる。ここで、上記過熱水蒸気とは、１００℃以上の過熱状態にまで加熱された蒸気を意味する。なお、上ヒータ２６は加熱部の一例である。
【００５３】
また、上記上ヒータ２６は下方から金属製の上ヒータカバー部２７で覆われている。この上ヒータカバー部２７は、上ヒータ２６を収容する空間と、被調理物を収容する空間とを隔てる隔壁である。また、上ヒータカバー部２７は、上ヒータ２６に加熱されて加熱庫８内の被調理物へ輻射熱を照射する輻射板でもある。また、上ヒータカバー部２７は複数の蒸気吹出孔２８，２８，…を有する。上ヒータ収納部２５内の過熱水蒸気は、複数の蒸気吹出孔２８，２８，…からトレイ４０上の被調理物へ向かって吹き出すようになっている。
【００５４】
一方、上記加熱庫８の下部には下ヒータ収納部２９が設けられており、下ヒータ収納部２９内に下ヒータ３０を収納している。
【００５５】
また、上記下ヒータ３０は上方から金属製の下ヒータカバー部３１で覆われている。この下ヒータカバー部３１は、上ヒータカバー部２７と同様に、隔壁であり、輻射板として働くが、複数の蒸気吹出孔２８，２８，…のような貫通孔を有さない。つまり、下ヒータ３０は、下ヒータカバー部３１で完全に覆われて、被調理物を収容する空間に露出していない。これにより、被調理物から出た油などが滴下して下ヒータ３０に付着しないようにしている。
【００５６】
また、上記加熱庫８の後部には排気口３２が設けられている。加熱庫８内の気体は、排気口３２から加熱庫８外へ出て、排気経路１２を介して、ケーシング１の前側からケーシング１外に排気される。
【００５７】
上記排気経路１２は、略矩形板形状の触媒３３と、この触媒３３を収容する略有底四角筒形状の収容部３４と、排気口３２から排気された気体を収容部３４へ案内する案内経路３５と、収容部３４を通過した気体が流入する接続経路３６とを有する。
【００５８】
上記触媒３３は、自身を通過する油煙を水蒸気と二酸化炭素に分解すると共に、自身を通過する水蒸気などの気体の臭いを除去する。つまり、触媒３３は脱煙機能および脱臭機能を有している。このような触媒３３は、例えば、パラジウムおよび白金を金属またはセラミックに添加して得られる。また、触媒３３は、収容部３４の底部に対して所定の距離を空けて配置されている。また、触媒３３は収容部３４の側部に全周に渡って密接している。これにより、案内経路３５からの気体が触媒３３の前側の略半分を確実に通過するようになっている。これと共に、触媒３３の前側の略半分を通過した気体が、触媒３３の後側の略半分を確実に通過するようになっている。
【００５９】
上記収容部３４は、上ヒータ収納部２５内に設けられて、加熱庫８の上方に位置している。また、収容部３４の周囲には上ヒータ２６の一部が位置している。また、収容部３４の上端には、触媒３３の後側の半分に対向する吸気口３７と、触媒３３の前側の半分に対向する排気口３８とが設けられている。一方、収容部３４の下端は密閉されている。また、収容部３４の下端と触媒３３との間には空間Ｓが設けられている。この空間Ｓは上ヒータ収納部２５内の空間に非連通となっている。
【００６０】
また、上記吸気口３７と排気口３８との間は仕切板３９で仕切られている。この仕切板３９は案内経路３５と接続経路３６との間も仕切っている。なお、仕切板３９は仕切部の一例である。
【００６１】
上記案内経路３５は、排気口３２近傍から上方に延びて屈曲して、さらに、加熱庫８の前面に向かって延びて、収容部３４の吸気口３７に接続されている。
【００６２】
上記接続経路３６の上流端は収容部３４の排気口３８に接続されている一方、接続経路３６の下流端は排気チューブ１８に接続されている。つまり、接続経路３６は、収容部３４の排気口３８と排気チューブ１８との間を接続する経路である。
【００６３】
上記構成の加熱調理器によれば、加熱庫８内の被調理物は、上ヒータカバー部２７からの輻射熱と、下ヒータカバー部３１の輻射熱と、複数の蒸気吹出孔２８，２８，…から吹き出した１００℃以上の過熱水蒸気とにより、加熱調理される。このとき、食品表面に供給されて付着した過熱水蒸気が食品表面で凝縮して大量の凝縮潜熱を食品に与えるので、食品に熱を効率よく伝えることができる。
【００６４】
また、上記被調理物の加熱時、図６，図７の矢印で示すように、加熱庫８内の水蒸気などの気体の一部が油煙と共に、排気チューブ１８へ向って、排気口３２、案内経路３５、触媒３３、接続経路３６および排気チューブ１８を順次流れる。このとき、上記気体の一部および油煙は、触媒３３の前側の略半分を通過した後、空間Ｓ内に流入して後側に流れて、さらに、空間Ｓから触媒３３の後側の略半分を通過する。
【００６５】
このように、上記加熱庫８内から出た気体および油煙が触媒３３を２回通過するので、触媒３３の通気方向の長さが短いが、気体および油煙を十分に脱煙および脱臭することができる。
【００６６】
また、上記触媒３３の通気方向の長さが短いことによって、収容部３４を薄型化できるので、ケーシング１の大型化を抑制できる。
【００６７】
また、上記収容部３４の薄型設計に伴い、ケーシング１の小型化や、設置スペースの省スペース化も可能となる。
【００６８】
また、上記ケーシング１を小型化することによって、製造コストの低減も可能となる。
【００６９】
また、上記収容部３４の周囲には上ヒータ２６の一部が位置しているので、その上ヒータ２６で触媒３３が加熱されて、触媒反応が促進する。
【００７０】
したがって、特開２００８−２８１２６７号公報の加熱調理器のように、触媒を加熱するためだけのヒータを配置しなくてもよいので、ヒータ数を減らし、製造コストを低減することができる。
【００７１】
また、上記収容部３４を加熱庫８の上方に配置しているので、加熱庫８の熱が効率良く収容部３４に伝わる。
【００７２】
したがって、上記触媒３３の加熱効率を高め、触媒反応を十分に促進させることができる。
【００７３】
また、上記複数の蒸気吹出孔２８，２８，…から加熱庫８内へ過熱水蒸気が噴き出すので、排気経路１２に例えば排気ファンを設けていないが、その過熱水蒸気の圧力で加熱庫８内の気体を効率良く排気することができる。
【００７４】
また、上記仕切板３９が吸気口３７と排気口３８との間を仕切るので、排気口３８から出た気体が上流側に逆流するのを防ぐことができる。
【００７５】
また、上記加熱調理器では、被調理物の加熱時、複数の蒸気吹出孔２８，２８，…から加熱庫８内に過熱水蒸気が吹き出していたが、複数の蒸気吹出孔２８，２８，…から加熱庫８内に水蒸気が吹き出るようにすることもできるし、複数の蒸気吹出孔２８，２８，…から加熱庫８内に過熱水蒸気および水蒸気が吹き出さないようにすることもできる。
【００７６】
上記実施形態では、上ヒータ収納部２５内で過熱水蒸気が生成され、この過熱水蒸気が加熱庫８内に供給されるようにしていたが、下ヒータ収納部２９内でも過熱水蒸気が生成され、この過熱水蒸気が加熱庫８内に供給されるようにしてもよい。
【００７７】
上記実施形態では、収容部３４を、上ヒータ収納部２５内に設けていたが、上ヒータ収納部２５外に設けてもよい。収容部３４を上ヒータ収納部２５外に設ける場合、上ヒータ２６とは別に触媒３３を加熱するヒータを設けるのが好ましい。
【００７８】
上記実施形態では、収容部３４を、上ヒータ収納部２５内に設けていたが、下ヒータ収納部２９内に設けるようにしてもよい。
【００７９】
本発明は、例えば、過熱水蒸気を使用するオーブンレンジのみならず、過熱水蒸気を使用するオーブン、レンジまたはＩＨクッキングヒータ等の加熱調理器にも適用できるし、過熱水蒸気を使用しないオーブン、レンジ、オーブンレンジまたはＩＨクッキングヒータ等の加熱調理器にも適用できる。
【００８０】
本発明の加熱調理器では、クッキングヒータ（ＩＨヒータや電気ヒータなどの電気コンロまたはガスコンロを用いたもの含む）やオーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して無酸素状態となることにより、食品の酸化を抑制した調理が可能となる。
【符号の説明】
【００８１】
１  ケーシング
８  加熱庫
１２  排気経路
１３  蒸気発生装置
３３  触媒
３４  収容部
３５  案内経路
３７  吸気口
３８  排気口
Ｓ  空間
【図１】
2011033230.tif 000003
【図２】
2011033230.tif 000004
【図３】
2011033230.tif 000005
【図４】
2011033230.tif 000006
【図５】
2011033230.tif 000007
【図６】
2011033230.tif 000008
【図７】
2011033230.tif 000009
【図８】
2011033230.tif 000010